(57)【要約】【課題】回転軸に付着する異物が、回転軸に圧入するとき及び圧入完了以降において、内外輪間の軌道面に侵入するのを低減できる転がり軸受を提供する。【解決手段】回転軸８１に嵌合する内輪２と、内輪２の外径側に配置される外輪３と、内外輪間の軌道面２ａ，３ａを転動する玉４と、を備え、内輪２は、軸方向の一方の端面２２の内周縁部に、軸方向及び径方向に切欠いた環状の切欠き部２１を有し、切欠き部２１には、径方向に凹む環状の周溝２１ａが形成され、転がり軸受１を回転軸８１に軸方向の一方から圧入する際に、回転軸８１の外周に付着した油が周溝２１ａに溜まる。【選択図】図１
2015064000.tif 000002
【特許請求の範囲】
【請求項１】
回転軸の外周に嵌合して使用する転がり軸受であって、
前記回転軸に嵌合する内輪と、
この内輪の外径側に配置される外輪と、
内外輪間の軌道面を転動する転動体と、を備え、
前記内輪は、軸方向の一方の端面の内周縁部に、軸方向及び径方向に切欠いた環状の切欠き部を有し、
前記切欠き部には、径方向に凹む環状の周溝が形成され、
前記転がり軸受を前記回転軸に軸方向の一方から圧入する際に、前記回転軸の外周に付着した油が前記周溝に溜まることを特徴とする転がり軸受。
【請求項２】
前記周溝には、前記油を凝固して溜める油凝固剤を設けていることを特徴とする請求項１に記載の転がり軸受。
【請求項３】
前記周溝には、前記油を吸収して溜める油吸収部材を設けていることを特徴とする請求項１に記載の転がり軸受。
【発明の詳細な説明】
【技術分野】
【０００１】
本発明は、転がり軸受に関する。
【背景技術】
【０００２】
例えば、２４時間換気する住宅用の換気扇は、省電力や低騒音や長寿命などが求められている。この換気扇の回転支持部に用いられる転がり軸受は、低トルク、静粛性及び長寿命が要求され、軸受の軌道面に異物が侵入するのを防止するために、内外輪間にシールを装着している。
【０００３】
しかしながら、換気扇を構成する回転軸に転がり軸受を圧入する際、回転軸の外周に付着した防錆油と、この防錆油に付着した塵埃などの異物が、内輪の端面の内周縁部でかき集められ、シールの接触部から軌道面に侵入する場合がある。
【０００４】
そこで、例えば特許文献１に開示された転がり軸受では、転がり軸受を回転軸に圧入する際、圧入開始時にスムースに圧入できるように、内輪の端面の内周縁部が面取りされている。この面取りにより内輪の端面の内周縁部に環状の切欠き部が形成され、転がり軸受を回転軸に圧入する際、内輪の端面の内周縁部でかき集められた異物が切欠き部に溜められ、シールの接触部から軌道面への侵入を低減している。
【先行技術文献】
【特許文献】
【０００５】
【特許文献１】特開２０１２−１９７９４０号公報
【発明の概要】
【発明が解決しようとする課題】
【０００６】
しかしながら、特許文献１に開示された転がり軸受では、切欠き部に溜まった異物が、回転軸の回転により飛散し、シールの接触部から軌道面に侵入する場合がある。そこで、転がり軸受は、回転軸に付着する異物が、回転軸に圧入するとき及び圧入以降において、内外輪間の軌道面に侵入するのを低減することが課題となっていた。
【０００７】
本発明は、このような課題を解決するためになされたものであって、回転軸に付着する異物が、回転軸に圧入するとき及び圧入完了以降において、内外輪間の軌道面に侵入するのを低減できる転がり軸受を提供することを目的とする。
【課題を解決するための手段】
【０００８】
上記の課題を解決するため、請求項１に係る転がり軸受の構成上の特徴は、回転軸の外周に嵌合して使用する転がり軸受であって、前記回転軸に嵌合する内輪と、この内輪の外径側に配置される外輪と、内外輪間の軌道面を転動する転動体と、を備え、前記内輪は、軸方向の一方の端面の内周縁部に、軸方向及び径方向に切欠いた環状の切欠き部を有し、前記切欠き部には、径方向に凹む環状の周溝が形成され、前記転がり軸受を前記回転軸に軸方向の一方から圧入する際に、前記回転軸の外周に付着した油が前記周溝に溜まることである。
【０００９】
請求項１の転がり軸受は、内輪の端面の内周縁部に切欠き部を備えるので、転がり軸受を回転軸に圧入する際に、回転軸の外周に付着した油や油に付着した塵埃などの異物が切欠き部の周溝に溜まる。そして、この転がり軸受では、周溝が径方向に凹むので、周溝に溜まった異物は、内輪が回転したときにも周溝から飛散しない。これにより、この転がり軸受は、回転軸に付着する異物が、回転軸に圧入するとき及び圧入完了以降において、内外輪間の軌道面に侵入するのを低減できる。
【００１０】
請求項２に係る転がり軸受の構成上の特徴は、前記周溝には、前記油を凝固して溜める油凝固剤を設けていることである。
【００１１】
請求項２の転がり軸受は、周溝に溜まった油を主成分とする異物が油凝固剤により凝固して溜まるので、内輪が回転したときにも異物は周溝から飛散せず、内外輪間の軌道面に異物が侵入するのを低減できる。
【００１２】
請求項３に係る転がり軸受の構成上の特徴は、前記周溝には、前記油を吸収して溜める油吸収部材を設けていることである。
【００１３】
請求項３の転がり軸受は、周溝に溜まった油を主成分とする異物が油吸収部材に吸収されて溜まるので、内輪が回転したときにも異物は周溝から飛散せず、内外輪間の軌道面に異物が侵入するのを低減できる。
【発明の効果】
【００１４】
本発明によれば、回転軸に付着する異物が、回転軸に圧入するとき及び圧入完了以降において、内外輪間の軌道面に侵入するのを低減できる転がり軸受を提供できる。
【図面の簡単な説明】
【００１５】
【図１】本発明の一実施形態である転がり軸受の軸方向の断面図である。
【図２】図１に示す転がり軸受の要部拡大図である。
【図３】図１に示す転がり軸受を回転軸に圧入するとき及び圧入完了以降における状態を説明する断面図である。
【発明を実施するための形態】
【００１６】
以下、本発明の転がり軸受を具体化した実施形態について図面を参照しつつ説明する。
【００１７】
図１は、本発明の一実施形態である転がり軸受１の軸方向の断面図である。図２は、図１に示す転がり軸受１の要部拡大図である。
図１及び図２に示すように、転がり軸受１は、例えば２４時間換気する住宅用の換気扇（図示せず）の回転軸８１を支持するものである。転がり軸受１は、回転軸８１の外周にしまり嵌めで嵌合する内輪２と、内輪２の外径側に配置される外輪３と、内輪２と外輪３との間の環状空間１１に配置される複数の玉（転動体）４と、玉４を保持する保持器５と、環状空間１１の両端に装着されるシール６とを備える。
【００１８】
玉４は、内輪２の外周面に形成される軌道面２ａと、外輪３の内周面に形成される軌道面３ａとの間を転動する。内輪２及び外輪３の材料としては、例えば、高炭素クロム軸受鋼材「ＳＵＪ２」が用いられる。
【００１９】
シール６は、環状の芯金６１と、芯金６１に加硫接着され一体化された弾性体６２と、からなる。シール６は、外輪３の内周面の両端部に嵌合され、弾性体６２の先端であるリップ６３が内輪２の外周面の両端部に摺接している。
【００２０】
内輪２は、軸方向の一方の端面２２の内周縁部に、軸方向及び径方向に切欠いた環状の切欠き部２１を備え、切欠き部２１には、径方向に凹む環状の周溝２１ａが形成されている。周溝２１ａには、例えば高分子ポリマーを主成分とする油凝固剤７が一体的に付着されている。
【００２１】
次に、図３を参照しつつ、転がり軸受１を回転軸８１に圧入するとき及び圧入完了以降の状態について説明する。図３（ａ）は、図１に示す転がり軸受１を回転軸８１に圧入開始するときの状態を示す断面図である。図３（ｂ）は、図１に示す転がり軸受１を回転軸８１に圧入完了したときの状態を示す断面図である。図３（ｃ）は、図１に示す転がり軸受１を回転軸８１に圧入した組立品８を、換気扇のハウジング８２に収容した状態を示す断面図である。
【００２２】
図３（ａ）に示すように、転がり軸受１を回転軸８１に圧入する際には、回転軸８１の固定と、転がり軸受１を圧入する位置の位置決めを行なうために治具８３を使用する。治具８３は、上部中央に回転軸８１の直径に合わせた円柱状の凹部８３ａを設け、凹部８３ａの凹む深さは転がり軸受１を圧入する位置を決める所定の長さとしている。
【００２３】
まず、治具８３が、作業台（図示せず）上に凹部８３ａを上にして載置され、凹部８３ａに対して、回転軸８１の軸方向の一方を挿入する。そして、転がり軸受１の軸方向の一方側、即ち切欠き部２１が形成された側を挿入方向Ｄ１の前側として圧入していく。
【００２４】
その後に、図３（ｂ）に示すように、転がり軸受１の圧入は、転がり軸受１が治具８３の上面である突き当て部８３ｂに突き当たり完了する。
【００２５】
その後に、図３（ｃ）に示すように、転がり軸受１を回転軸８１に圧入した組立品８が、治具８３から分離し、換気扇のハウジング８２に収容される。ハウジング８２は、その内周面から円筒状で延びる小径部８２ａと小径部８２ａから段差部８２ｂを介してさらに延びる大径部８２ｃとを備える。組立品８は、転がり軸受１の軸方向の一方側である外輪３の端面が段差部８２ｂに当接し、外輪３が大径部８２ｃの内周にすきま嵌めで嵌合されてハウジング８２に収容される。
【００２６】
このように構成される転がり軸受１では、図３（ａ），３（ｂ）に示すように、転がり軸受１を圧入する際、回転軸８１の外周に付着した防錆油と、この防錆油に付着した塵埃などの異物９が、かき集められ切欠き部２１の開口部から入り周溝２１ａに溜まる。そして、このようにして周溝２１ａに溜まった油を主成分とする異物９は、油凝固剤７により凝固して溜まる。これにより、転がり軸受１は、回転軸８１に付着する異物９が、回転軸８１に圧入するときに、内外輪間の軌道面２ａ，３ａに侵入するのを低減できる。
【００２７】
また、転がり軸受１は、図２，３（ｃ）に示すように、組立品８としてハウジング８２に収容され、切欠き部２１には径方向に凹む周溝２１ａが形成されるので、周溝２１ａに溜まった異物９は、内輪２が回転したときにも周溝２１ａから飛散しない。これにより、この転がり軸受１は、回転軸８１に付着する異物が、回転軸８１に圧入以降において、内外輪間の軌道面２ａ，３ａに侵入するのを低減できる。
【００２８】
なお、本発明は上記の実施形態に限定するものではなく、本発明の要旨を逸脱しない範囲内において、種々の形態で実施することができる。
上記実施形態では、周溝２１ａには油凝固剤７を付着し、油を凝固して溜めるとしたが、それに限るものではなく、例えば周溝２１ａには親油疎水性を有する油吸収部材を装着し、油を吸収して溜める構成に適用してもよい。
【００２９】
また、上記実施形態では、転がり軸受１が玉軸受としたが、それに限るものではなく、例えば円筒ころ軸受や円すいころ軸受などの構成に適用してもよい。
【符号の説明】
【００３０】
１：転がり軸受、  ２：内輪、  ２ａ：軌道面、  ３：外輪、  ３ａ：軌道面、  ４：玉（転動体）、  ５：保持器、  ６：シール、  ７：油凝固剤、  ８：組立品、  ９：異物、  １１：環状空間、  ２１：切欠き部、  ２１ａ：周溝、  ２２：一方の端面、  ６１：芯金、  ６２：弾性体、  ６３：リップ、  ８１：回転軸、  ８２：ハウジング、  ８２ａ：小径部、  ８２ｂ：段差部、  ８２ｃ：大径部、  ８３：治具、  ８３ａ：凹部、  ８３ｂ：突き当て部
【図１】
2015064000.tif 000003
【図２】
2015064000.tif 000004
【図３】
2015064000.tif 000005